(57)【要約】【課題】Ｘ線検査を受ける被検者のその検査に対する不安を軽減するとともに、被検者が検査者の指示に適切に応じることができるように改善する。【解決手段】検査室１に置かれた、Ｘ線管１２とイメージインテンシファイア１３とＸ線ＴＶカメラ１４とＸ線フィルムとを有するＸ線透視撮影用検査台１１にモニタ装置５１、ビデオカメラ５２、マイク５３およびスピーカ５４を設けるとともに、この検査室１とはＸ線遮蔽壁３で隔てられた操作室２に置かれた遠隔操作用コンソール２１にモニタ装置６１、ビデオカメラ６２、マイク６３およびスピーカ６４を設け、これらを双方向通信装置７で結び、検査台１１上の被検者４とコンソール２１を操作する検査者との間で、音声および映像による双方向のコミュニケーションが行えるようにする。【選択図】図１
2006055433.tif 000002
【特許請求の範囲】
【請求項１】
被検者用検査台と、該検査台の被検者に向けてＸ線を照射するＸ線発生器と、被検者を透過したＸ線による画像をとらえるＸ線受像装置と、これら検査台、Ｘ線発生器およびＸ線受像装置を遠隔操作する遠隔操作用コンソールと、上記検査台に設けられたモニタ装置、撮像装置、マイクおよびスピーカと、上記コンソールに設けられたモニタ装置、撮像装置、マイクおよびスピーカと、これら検査台およびコンソール間でモニタ装置、撮像装置、マイクおよびスピーカを結び検査台およびコンソール間で音声および映像の双方向通信を行う通信装置とを備えることを特徴とするＸ線検査装置。
【発明の詳細な説明】
【技術分野】
【０００１】
この発明は、Ｘ線撮影やＸ線ＴＶ透視などを行うＸ線検査装置に関し、とくに被検者と検査者との間のコミュニケーション手段を備えたＸ線検査装置に関する。
【背景技術】
【０００２】
Ｘ線検査装置はＸ線防護の施された検査室内に配置される。バリウムを飲んで胃の造影検査を行うＸ線検査装置等では、被検者を載せた検査台を起倒回転させたりする必要があるため、その検査室外に遠隔操作用コンソールを配置して、そのコンソールを検査者が操作することにより検査室内のＸ線検査装置を遠隔操作している。また、この種のＸ線検査装置では、被検者の姿勢を、たとえば検査台上で仰向け、横向き、うつ伏せなどさまざまに変えてもらって種々の方向からＸ線透視およびフィルム撮影を行うため、検査室外から検査室内の被検者にその旨の指示を与える必要がある。
【０００３】
従来のＸ線検査装置では、通常、検査室外のコンソールに設けたマイクに向かって検査者が音声を入力し、検査室内に設けられたスピーカからその音声が流れて、被験者に伝えられるよう構成されている。また、下記の特許文献１に示すように、検査用寝台にＴＶモニタを設けてその画面上に体位を示すシンボル画像を表して言葉による指示を補助することも考えられている。さらに、下記の特許文献２には、言葉による意思伝達が困難な被検者に対して特殊な眼鏡型ディスプレイ装置を装着し、そのディスプレイ装置に指示内容を表す文字情報を表示することが示されている。
【特許文献１】特開平７−２１３５１５号公報
【特許文献２】特開平７−２４１２８５号公報
【０００４】
ところが、従来の通常の装置のように、マイク・スピーカを介した一方的な音声伝達では、被検者は、検査にあたって不安にかられることもあり、適切に反応できないことがある。シンボル画像を表示する特許文献１でも、文字情報による指示を表示する特許文献２でも、一方的な指示伝達である点は変わらず、また被検者には検査者の顔が見えないため、不安感を軽減することはできないので、同様の問題が生じる。
【発明の開示】
【発明が解決しようとする課題】
【０００５】
この発明の課題は、検査者・被検者間の音声だけでなく映像による双方向のコミュニケーションを図ることにより、被検者の検査を受けることの不安を軽減し、被検者が検査者の指示に適切に応じることができるように改善したＸ線検査装置を提供することにある。
【課題を解決するための手段】
【０００６】
上記の目的を達成するため、この発明によるＸ線検査装置においては、被検者用検査台と、該検査台の被検者に向けてＸ線を照射するＸ線発生器と、被検者を透過したＸ線による画像をとらえるＸ線受像装置と、これら検査台、Ｘ線発生器およびＸ線受像装置を遠隔操作する遠隔操作用コンソールと、上記検査台に設けられたモニタ装置、撮像装置、マイクおよびスピーカと、上記コンソールに設けられたモニタ装置、撮像装置、マイクおよびスピーカと、これら検査台およびコンソール間でモニタ装置、撮像装置、マイクおよびスピーカを結び検査台およびコンソール間で音声および映像の双方向通信を行う通信装置とを備えることが特徴となっている。
【発明の効果】
【０００７】
検査台とコンソールのそれぞれには、モニタ装置、撮像装置、マイクおよびスピーカが備えられ、これらは通信装置によって結ばれ、検査台およびコンソール間で音声および映像の双方向通信が行われる。そのため、コンソールを操作する検査者と、検査台上の被検者との間で、音声および映像による双方向のコミュニケーションを行うことができる。被検者からすれば、検査台に設けられたモニタ装置に検査者の顔が映るため、不安感を払拭することができる。また、検査者側でも、被検者が指示を理解できないときにマイクを通じて聞きなおしてくるので、より適切な指示を与えることができるようになり、必要な姿勢を的確にとってもらうことにより、検査の効率性を向上させることができる。
【発明を実施するための最良の形態】
【０００８】
つぎに、この発明を実施したＸ線検査装置について図面を参照して説明する。
【実施例】
【０００９】
図１に示すように、この発明の実施例にかかるＸ線検査装置は、検査室１に配置された検査台１１と、操作室２に配置された遠隔操作用コンソール２１とを含んで構成される。この検査室１と操作室２とはＸ線遮蔽壁３により隔てられており、Ｘ線防護窓３１を通じて操作室２から検査室１内の様子が観察できるようにされている。
【００１０】
検査台１１には被検者４が横たえられるようになっているとともに、この被検者４に向けてＸ線を照射するＸ線管１２などのＸ線発生器が取り付けられている。さらに、検査台１１には、被検者４を透過したＸ線による画像をとらえるためのＸ線受像装置、つまりイメージインテンシファイア１３およびこれに結合されたＸ線ＴＶカメラ１４とＸ線フィルム１５が備えられる。
【００１１】
この検査台１１は、この実施例では被検者４を載せたまま起倒回転するタイプで、その操作は、コンソール２１を操作することにより、別室（操作室）２から遠隔的になされる。検査を行う医師や放射線技師が操作室２内のコンソール２１を操作することによって、検査台１１を起倒回転させるとともに、Ｘ線管１２からのＸ線照射を制御する。また、イメージインテンシファイア１３とＸ線ＴＶカメラ１４によって得たＸ線透視像は、コンソール２１に設けた透視用画像表示装置（図では省略）により表示され、検査者はこの透視像を観察しながらＸ線フィルム１５へＸ線露光する操作を行う。
【００１２】
このようなＸ線透視およびＸ線フィルム１５へのＸ線撮影を行う際、最適と思われる角度・方向より画像を取得する必要があるため、被検者４を載せたまま検査台１１を起倒回転させるとともに、被検者４に横を向いたり仰向けになったり腹ばいになったりというような姿勢をとってもらう必要がある。そのため、操作室２に居る検査者から検査台１１上の被検者４に対してその旨の指示を与え、その指示通りに動いてもらわなければならない。
【００１３】
この検査者・被検者間のコミュニケーションのため、検査台１１にモニタ装置（たとえば液晶ディスプレイ装置など）５１が、コンソール２１にモニタ装置（たとえば液晶ディスプレイ装置など）６１がそれぞれ取り付けられている。これらモニタ装置５１、６１には、それぞれ、、ビデオカメラ（撮像装置）５１、６１、マイク５３、６３およびスピーカ５４、６４が取り付けられている。そして、これら検査台１１のモニタ装置５１、ビデオカメラ５１、マイク５３およびスピーカ５４と、コンソール２１のモニタ装置６１、ビデオカメラ６１、マイク６３およびスピーカ６４とは、通信装置７により相互に結ばれており、検査台１１側とコンソール２１側との間で、音声および映像の双方向通信が行われるようになっている。
【００１４】
したがって、このような双方向通信により、指示を与える検査者の顔がコンソール２１側のビデオカメラ６２でとらえられ、検査台１１側のモニタ装置５１に表示されることになるので、被検者４は検査者の顔を見ながらスピーカ５４から流れる指示を聞くことができ、不安感が解消される。また、指示が理解できないときにはマイク５３を通じて質問することもできるので、この点でも安心感が増加する。操作室２に居る検査者にとっても、Ｘ線防護窓３１を通じて検査室１の内部を見るだけでは被検者４の表情などは分りにくいが、ビデオカメラ５２で被検者４の顔の部分がとらえられその映像がモニタ装置６１に表示されるため、不安感にかられているとか指示が分らなくてとまどっているとかの状態を理解でき、それに応じた対応をすることができる。結果として、被検者４の不安感を和らげ、かつ効率よく必要な姿勢をとってもらうことができる。
【００１５】
なお、上記の説明は一つの実施例にかかるもので、この発明がこの実施例の構成に限定されるわけではないことはもちろんである。Ｘ線管１２、イメージインテンシファイア１３、Ｘ線ＴＶカメラ１４、Ｘ線フィルム１５などが備えられた検査台１１の具体的構成、それに取り付けられるモニタ装置５１、ビデオカメラ５２、マイク５３、スピーカ５４の構成およびその取り付け位置などは種々の形態が可能である。
【産業上の利用可能性】
【００１６】
この発明にかかるＸ線検査装置によれば、検査台と遠隔操作用コンソールとの間で音声・映像の双方向通信を行うようにしたので、検査者・被検者間で音声だけでなく映像による双方向のコミュニケーションを行うことができ、その結果、被検者の検査を受けることの不安が軽減され、かつ被検者が検査者の指示により適切に応じることができ、検査の効率も改善される。
【図面の簡単な説明】
【００１７】
【図１】この発明の一実施例にかかるＸ線検査装置のブロック図。
【符号の説明】
【００１８】
１              検査室
２              操作室
３              Ｘ線遮蔽壁
４              被検者
７              通信装置
１１            検査台
１２            Ｘ線管
１３            イメージインテンシファイア
１４            Ｘ線ＴＶカメラ
１５            Ｘ線フィルム
２１            遠隔操作用コンソール
３１            Ｘ線防護窓
５１、６１      モニタ装置
５２、６２      ビデオカメラ
５３、６３      マイク
５４、６４      スピーカ
【図１】
2006055433.tif 000003